(57)【要約】【課題】  通信光源強度や光損失被測定光ファイバの通信光伝搬損失を安全に、かつ、正確に測定可能なシステムと装置を提供する。【解決手段】  光源装置２から、可視光と該可視光の波長と異なる１つ以上の波長を持った通信光とを多重した波長多重光を発信し、該波長多重光を受信装置１で受信する。受信装置１は波長多重光のうち前記通信光の１つ以上の波長を波長分波部６で波長ごとに分波し、該分波光を通信光強度検出部７によって受信してその光強度を波長ごとに検出する。光源装置２から直接的または間接的に波長多重光を受信したときに通信光強度検出部７が検出する通信光の波長ごとの光強度を通信光源強度として検出したり、光源装置２から光損失被測定光ファイバ３を介して波長多重光を受信して光ファイバ３の通信光伝搬損失値を求めたりする。【選択図】        図１
2005176072.tif 000002
【特許請求の範囲】
【請求項１】
可視光と該可視光の波長と異なる１つ以上の波長を持った通信光とを多重した波長多重光を発信する光源装置と、該光源装置から発信される前記波長多重光を受信する受信装置とを有し、該受信装置は前記波長多重光のうち前記通信光の１つ以上の波長を波長ごとに分波する波長分波部と、該波長分波部により分波された光を受信してその光強度を波長ごとに検出する通信光強度検出部とを備えていることを特徴とする通信光強度検出システム。
【請求項２】
受信装置は、光源装置から直接的または間接的に波長多重光を受信したときに通信光強度検出部が検出する通信光の波長ごとの光強度をそれぞれの波長に対応する通信光源強度として記憶する通信光源強度記憶部と、前記光源装置から光損失被測定光ファイバを介して波長多重光を受信したときに前記通信光強度検出部が検出する通信光の波長ごとの光強度をそれぞれの波長に対応する光ファイバ通過通信光強度として記憶する通過通信光強度記憶部と、該通過通信光強度記憶部が記憶した光ファイバ通過通信光強度値と前記通信光源強度記憶部が記憶した通信光源強度値とをそれぞれの波長ごとに比較し、予め定めた手法によって前記光損失被測定光ファイバの通信光伝搬損失値を波長ごとに求める通信光伝搬損失値検出部と、該通信光伝搬損失値検出部により求めた通信光伝搬損失値のうち選択指定された波長に対応する通信光伝搬損失値を表示する通信光伝搬損失値の表示部とを有することを特徴とする請求項１記載の通信光強度検出システム。
【請求項３】
通信光は１．５５μｍと１．３１μｍの少なくとも一方の波長を有することを特徴とする請求項１または請求項２記載の通信光強度検出システム。
【請求項４】
請求項１または請求項２または請求項３記載の通信光強度検出システムに用いられる受信装置であって、波長多重光を受信する受信部と、該受信部が受信した前記波長多重光のうち通信光の１つ以上の波長を波長ごとに分波する波長分波部と、該波長分波部により分波された光を受信してその光強度を波長ごとに検出する通信光強度検出部とを備えていることを特徴とする受信装置。
【請求項５】
光源装置から直接的または間接的に波長多重光を受信したときに通信光強度検出部が検出する通信光の波長ごとの光強度のうち選択指定された波長に対応する検出光強度値を通信光源強度として表示する通信光源強度の表示部を有することを特徴とする請求項４記載の受信装置。
【請求項６】
光源装置から直接的または間接的に波長多重光を受信したときに通信光強度検出部が検出する通信光の波長ごとの光強度をそれぞれの波長に対応する通信光源強度として記憶する通信光源強度記憶部と、前記光源装置から光損失被測定光ファイバを介して波長多重光を受信したときに前記通信光強度検出部が検出する通信光の波長ごとの光強度をそれぞれの波長に対応する光ファイバ通過通信光強度として記憶する通過通信光強度記憶部と、該通過通信光強度記憶部が記憶した光ファイバ通過通信光強度値と前記通信光源強度記憶部が記憶した通信光源強度値とをそれぞれの波長ごとに比較し、予め定めた手法によって前記光損失被測定光ファイバの通信光伝搬損失値を波長ごとに求める通信光伝搬損失値検出部と、該通信光伝搬損失値検出部により求めた通信光伝搬損失値のうち選択指定された波長に対応する通信光伝搬損失値を表示する通信光伝搬損失値の表示部とを有することを特徴とする請求項４または請求項５記載の受信装置。
【請求項７】
通信光伝搬損失値の表示と通信光源強度の表示は、操作部の操作切り替えに応じて１つの表示部位に切り替え表示される構成としたことを特徴とする請求項６記載の受信装置。
【請求項８】
光源通信光強度の検出値が予め定めた通信光源強度閾値以上の合格値であるか否かを判断する光源光強度合否の判断部と、通信光伝搬損失値検出部により求められる通信光伝搬損失値が予め定めた通信光伝搬損失閾値以下の合格値であるか否かの判断を行う通信光損失合否の判断部の少なくとも一つの判断部が設けられ、該判断部の合否情報を区別表示する区別表示部を有することを特徴とする請求項６または請求項７記載の受信装置。
【請求項９】
光源光強度合否の判断部と通信光損失合否の判断部の合否情報は、操作部の操作切り替えに応じて１つの表示部位に切り替え区別表示される構成としたことを特徴とする請求項８記載の受信装置。
【請求項１０】
請求項１または請求項２または請求項３記載の通信光強度検出システムに適用される光源装置であって、可視光と、該可視光と異なる１つ以上の波長を持った通信光とを多重し、該波長多重光を発信することを特徴とする光源装置。
【発明の詳細な説明】
【技術分野】
【０００１】
本発明は、光通信用光ファイバ網の通過損失や光ファイバ敷設工事での接続不良等の測定やチェックを行うために用いられる通信光強度検出システムおよびそのシステムに用いられる光源装置ならびに受信装置に関するものである。
【背景技術】
【０００２】
従来から、例えば光ファイバの敷設先で、光通信用の光ファイバ網の損失を測定することが行われており、この場合、例えば１．３１μｍ、１．５５μｍといった実際に光通信用に使用される波長（通信波長）の光を使用し、実際の稼働状態と同じ条件で光ファイバの伝搬損失を測定することが一般的である（例えば非特許文献１、参照）。
【０００３】
【非特許文献１】「光ファイバ施工技術」第１２章  光損失と測定技術、平成１３年１２月２０日発行、発行元（株）オプトロニクス社
【発明の開示】
【発明が解決しようとする課題】
【０００４】
しかしながら、上記のような通信波長の光は目に見えない光であるため、非常に高光強度の通信波長光が光ファイバ内を通っていても、作業者に全く気づかずに扱われる。このため、通信波長光が誤って作業者の目に入ってしまい、目に障害を与えるという健康上の危険があった。
【０００５】
そこで、光ファイバの伝搬損失の測定に可視光を用いることが考えられるが、光伝搬損失は、その波長によって異なるものであり、例えば可視光の中では通信波長に近い０．６５μｍの光を用いて光ファイバの伝搬損失を測定したとしても、通信波長である１．３１μｍや１．５５μｍの光を用いた場合の光ファイバの伝搬損失に比べて数十倍の損失になってしまう。
【０００６】
つまり、光源装置から発信した可視光を光ファイバを介して受信装置が受信したときに検出される可視光強度と、光源装置から発信した通信光を光ファイバを介して受信装置が受信したときに検出される通信光強度とは、その大きさが大きく異なるため、可視光を用いた測定では、実際の通信に関する光ファイバの伝搬損失を的確に測定することができない。
【０００７】
本発明は、上記従来の課題を解決するために成されたものであり、その目的は、作業者等の健康上の危険を回避でき、かつ、正確に、光ファイバを伝搬した通信光強度や通信光伝搬損失を正確に検出することができる通信光強度検出システムおよびそのシステムに用いられる光源装置ならびに受信装置を提供することにある。
【課題を解決するための手段】
【０００８】
上記目的を達成するために、本発明は次のような構成をもって課題を解決するための手段としている。すなわち、第１の発明の通信光強度検出システムは、可視光と該可視光の波長と異なる１つ以上の波長を持った通信光とを多重した波長多重光を発信する光源装置と、該光源装置から発信される前記波長多重光を受信する受信装置とを有し、該受信装置は前記波長多重光のうち前記通信光の１つ以上の波長を波長ごとに分波する波長分波部と、該波長分波部により分波された光を受信してその光強度を波長ごとに検出する通信光強度検出部とを備えている構成をもって課題を解決する手段としている。
【０００９】
また、第２の発明の通信光強度検出システムは、上記第１の発明の構成に加え、前記受信装置は、光源装置から直接的または間接的に波長多重光を受信したときに通信光強度検出部が検出する通信光の波長ごとの光強度をそれぞれの波長に対応する通信光源強度として記憶する通信光源強度記憶部と、前記光源装置から光損失被測定光ファイバを介して波長多重光を受信したときに前記通信光強度検出部が検出する通信光の波長ごとの光強度をそれぞれの波長に対応する光ファイバ通過通信光強度として記憶する通過通信光強度記憶部と、該通過通信光強度記憶部が記憶した光ファイバ通過通信光強度値と前記通信光源強度記憶部が記憶した通信光源強度値とをそれぞれの波長ごとに比較し、予め定めた手法によって前記光損失被測定光ファイバの通信光伝搬損失値を波長ごとに求める通信光伝搬損失値検出部と、該通信光伝搬損失値検出部により求めた通信光伝搬損失値のうち選択指定された波長に対応する通信光伝搬損失値を表示する通信光伝搬損失値の表示部とを有する構成をもって課題を解決する手段としている。
【００１０】
さらに、第３の発明の通信光強度検出システムは、上記第１または第２の発明の構成に加え、前記通信光は１．５５μｍと１．３１μｍの少なくとも一方の波長を有する構成をもって課題を解決する手段としている。
【００１１】
さらに、第４の発明の受信装置は、上記第１または第２または第３の発明の通信光強度検出システムに用いられる受信装置であって、波長多重光を受信する受信部と、該受信部が受信した前記波長多重光のうち通信光の１つ以上の波長を波長ごとに分波する波長分波部と、該波長分波部により分波された光を受信してその光強度を波長ごとに検出する通信光強度検出部とを備えている構成をもって課題を解決する手段としている。
【００１２】
さらに、第５の発明の受信装置は、上記第４の発明の構成に加え、前記光源装置から直接的または間接的に波長多重光を受信したときに通信光強度検出部が検出する通信光の波長ごとの光強度のうち選択指定された波長に対応する検出光強度値を通信光源強度として表示する通信光源強度の表示部を有する構成をもって課題を解決する手段としている。
【００１３】
さらに、第６の発明の受信装置は、上記第４または第５の発明の構成に加え、前記光源装置から直接的または間接的に波長多重光を受信したときに通信光強度検出部が検出する通信光の波長ごとの光強度をそれぞれの波長に対応する通信光源強度として記憶する通信光源強度記憶部と、前記光源装置から光損失被測定光ファイバを介して波長多重光を受信したときに前記通信光強度検出部が検出する通信光の波長ごとの光強度をそれぞれの波長に対応する光ファイバ通過通信光強度として記憶する通過通信光強度記憶部と、該通過通信光強度記憶部が記憶した光ファイバ通過通信光強度値と前記通信光源強度記憶部が記憶した通信光源強度値とをそれぞれの波長ごとに比較し、予め定めた手法によって前記光損失被測定光ファイバの通信光伝搬損失値を波長ごとに求める通信光伝搬損失値検出部と、該通信光伝搬損失値検出部により求めた通信光伝搬損失値のうち選択指定された波長に対応する通信光伝搬損失値を表示する通信光伝搬損失値の表示部とを有する構成をもって課題を解決する手段としている。
【００１４】
さらに、第７の発明の受信装置は、上記第６の発明の構成に加え、前記通信光伝搬損失値の表示と通信光源強度の表示は、操作部の操作切り替えに応じて１つの表示部位に切り替え表示される構成をもって課題を解決する手段としている。
【００１５】
さらに、第８の発明の受信装置は、上記第６または第７の発明の構成に加え、前記光源通信光強度の検出値が予め定めた通信光源強度閾値以上の合格値であるか否かを判断する光源光強度合否の判断部と、通信光伝搬損失値検出部により求められる通信光伝搬損失値が予め定めた通信光伝搬損失閾値以下の合格値であるか否かの判断を行う通信光損失合否の判断部の少なくとも一つの判断部が設けられ、該判断部の合否情報を区別表示する区別表示部を有する構成をもって課題を解決する手段としている。
【００１６】
さらに、第９の発明の受信装置は、上記第８の発明の構成に加え、前記光源光強度合否の判断部と通信光損失合否の判断部の合否情報は、操作部の操作切り替えに応じて１つの表示部位に切り替え区別表示される構成をもって課題を解決する手段としている。
【００１７】
さらに、第１０の発明の光源装置は、上記第１または第２または第３の発明の通信光強度検出システムに適用される光源装置であって、可視光と、該可視光と異なる１つ以上の波長を持った通信光とを多重し、該波長多重光を発信する構成をもって課題を解決する手段としている。
【発明の効果】
【００１８】
本発明の通信光強度検出システムによれば、光源装置は、可視光と該可視光の波長と異なる１つ以上の波長を持った通信光とを多重した波長多重光を発信するので、この波長多重光を作業者等が目視により確認することができ、かつ、受信装置は、前記波長多重光のうち前記通信光の１つ以上の波長を波長ごとに分波して、通信光強度検出部により分波光の光強度を波長ごとに検出するので、通信光の波長ごとの光強度を正確に検出することができる。
【００１９】
つまり、本発明の通信光強度検出システムは、作業者等の健康上の危険を回避でき、かつ、正確に、光通信波長の光強度を検出できるので、この光強度値を利用して、例えば光ファイバの通信光伝搬損失を測定することができる。
【００２０】
また、本発明の通信光強度検出システムにおいて、受信装置が、光損失被測定光ファイバの通信光伝搬損失値を波長ごとに求める通信光伝搬損失値検出部と、該通信光伝搬損失値検出部により求めた通信光伝搬損失値のうち選択指定された波長に対応する通信光伝搬損失値を表示する通信光伝搬損失値の表示部とを有する構成によれば、受信装置によって通信光伝搬損失値を波長ごとに求めることができ、かつ、その値を表示することにより、正確な通信光伝搬損失値を作業者等に知らせることができる。
【００２１】
さらに、本発明の通信光強度検出システムにおいて、通信光は１．５５μｍと１．３１μｍの少なくとも一方の波長とした構成によれば、現在用いられている通信光の伝搬損失値を的確に検出し、作業者等に知らせることができる。
【００２２】
さらに、本発明の光源装置と受信装置によれば、上記優れた効果を奏する通信光強度検出システムを構築することができる。
【００２３】
特に、本発明の受信装置において、光源装置から直接的または間接的に波長多重光を受信したときに通信光強度検出部が検出する通信光の波長ごとの光強度のうち選択指定された波長に対応する検出光強度値を通信光源強度として表示する通信光源強度の表示部を有する構成によれば、光源装置における通信光源光強度の値を作業者等に知らせることができる。
【００２４】
さらに、本発明の受信装置において、通信光伝搬損失値の表示と通信光源強度の表示は、操作部の操作切り替えに応じて１つの表示部位に切り替え表示される構成によれば、例えば受信装置を小型化しても、上記各値の表示を切り替えて１つの表示部位に表示することにより、上記値の表示を、より見やすくすることができる。
【００２５】
さらに、本発明の受信装置において、光源光強度合否の判断部と、通信光損失合否の判断部の少なくとも一つの判断部が設けられ、該判断部の合否情報を区別表示する区別表示部を有する構成によれば、通信光源光強度合否と、通信光損失合否の少なくとも一つを、対応する判断部により正確に判断することができ、かつ、この合否情報を区別表示することにより、作業者等に的確に、かつ、迅速に、上記合否情報を知らせることができる。
【００２６】
さらに、光源光強度合否の判断部と通信光損失合否の判断部を有する本発明の受信装置において、これらの判断部の合否情報は、操作部の操作切り替えに応じて１つの表示部位に切り替え区別表示される構成とした構成によれば、例えば受信装置を小型化しても、上記各合否情報の表示を切り替えて１つの表示部位に区別表示することにより、上記合否情報を、より見やすくすることができる。
【発明を実施するための最良の形態】
【００２７】
以下、本発明の実施の形態を、図面を参照して説明する。
【００２８】
図１には、本発明に係る通信光強度検出システムの一実施形態例のブロック構成が示されており、図２には、本実施形態例の通信光強度検出システムを用いた通信光測定方法の一例が示されている。
【００２９】
図１に示すように、本実施形態例の通信光強度検出システムは、可視光と該可視光の波長と異なる１つ以上の波長を持った通信光とを多重した波長多重光を発信する光源装置２と、該光源装置２から発信される前記波長多重光を受信する受信装置１とを有している。
【００３０】
光源装置２は、可視光を発信する可視光源４１と、通信光を発信する通信光源４２と、可視光源４１から発信される可視光と通信光源から発信する通信光とを合波する波長合波部４３と、該波長多重光を発信する波長多重光の送信部４を有している。本実施形態例において、可視光源４１は波長０．６５μｍの可視光を発信し、通信光源４２は波長１．３１μｍと１．５５μｍの通信光を発信する。
【００３１】
受信装置１は、操作部１９、制御部１１、表示部３０を有しており、操作部１９は、光源チェック操作部８、光損失値検出操作部９、波長選択操作部１０を有している。
【００３２】
制御部１１は、波長多重光の受信部５、波長分波部６、通信光強度検出部７、通信光源強度記憶部２１、通過通信光強度記憶部２２、通信光伝搬損失値検出部２５、光源光強度合否の判断部２６、閾値メモリ部２８、通信光損失合否の判断部２９を有している。
【００３３】
表示部３０は、通信光源強度の表示部３１、通信光伝搬損失値の表示部３４、光源光強度合否表示部３５、通信光損失合否表示部３７を有している。
【００３４】
前記光源チェック操作部８は、光源装置２の通信光源強度をチェックする時に操作するボタンである。また、光損失値検出操作部９は、光損失被測定光ファイバ３の通信光伝搬損失値を測定、検出する時に操作するボタンである。波長選択操作部１０は、上記通信光源強度および通信光伝搬損失値を検出する通信光波長を選択指定操作するボタンである。
【００３５】
本実施形態例において、受光装置１の初期状態では、波長１．３１μｍが選択されており、その後、波長選択操作部１０のボタンが１度押されると、波長１．５５μｍが選択され、さらに、波長選択操作部１０のボタンが押されたときには、通信光波長１．３１μｍが選択されるといったように、波長選択操作部１０のボタンが押されるごとに、選択される波長が交互に切り替わる。
【００３６】
なお、これらの、光源チェック操作部８、光損失値検出操作部９、波長選択操作部１０は、ボタン以外のレバー等の操作部としてもよい。
【００３７】
波長多重光の受信部５は、光源装置２から発信される波長多重光を受信するものであり、受信した波長多重光を波長分波部６に送る。波長分波部６は、例えば波長分波カプラ等により形成されており、波長多重光のうち前記通信光の１つ以上の波長を波長ごとに分波し、分波光を通信光強度検出部７に送る。
【００３８】
通信光強度検出部７は、波長分波部６により分波された光を受信してその光強度を波長ごとに検出するものである。通信光強度検出部７は、光源チェック操作部８のボタンが押されたときに、可視光源から直接的または間接的に前記波長多重光の受信部５に受信されて、波長分波部６から分波されたそれぞれの波長の通信光の検出強度を通信光源強度として波長ごとに検出する。
【００３９】
本実施形態例では、図２（ａ）に示すように、例えば１ｍ以内の短い長さの光源光強度測定用光ファイバ１３を介して光源装置２と受信装置１とを接続した状態で、前記光源チェック操作部８のボタンが押されたときに、光源装置２の通信光強度を検出するようにしている。つまり、本実施形態例では、光源装置２から間接的に波長多重光の受信部５に受信されて波長ごとに分波される通信光の検出強度を光源光強度として検出する。
【００４０】
光源光強度測定用光ファイバ１３は、実際に敷設場所に敷設されている光損失被測定光ファイバ３に比べて非常に短く、その光伝搬損失は、光損失被測定光ファイバ３に比べると殆ど無視できる。そこで、本実施形態例では、光源装置２から光源光強度測定用光ファイバ１３を介して受信した通信光検出強度を、光源装置２の通信光源強度と見なしている。なお、図２の図中、１４，１５，１６，１７は、それぞれ光コネクタを示している。
【００４１】
通信光強度検出部７は、フォトダイオード、増幅器、Ａ／Ｄ変換部、演算部を有して形成されている。通信光強度検出部７は、受信した通信光信号をフォトダイオードにより電流の電気信号に変換し、増幅器で電圧値に変換後、Ａ／Ｄ（アナログ・デジタル）変換し、変換後のデジタル信号を対数変換し、通信光の波長ごとに、その強度を検出する。
【００４２】
なお、本実施形態例において、通信光強度検出部７は、前記波長分波部６が分波した波長１．３１μｍの通信光と波長１．５５μｍの通信光の両方をそれぞれ別々のフォトダイオードによって受信するが、これらの通信光のうち、波長選択操作部１０の操作によって指定された波長（本実施形態例では、１．３１μｍまたは１．５５μｍ）の通信光強度を検出し、この検出値を、通信光源強度の表示部３１と通信光源強度記憶部２１と光源光強度合否の判断部２６に加える。
【００４３】
前記通信光源強度記憶部２１は、通信光強度検出部７から通信光検出強度の信号が加えられると、この値を通信光源光強度として波長に対応させて記憶する。
【００４４】
通信光源強度の表示部３１は、通信光強度検出部７から通信光の検出強度の信号が加えられると、この値を表示する。なお、本実施形態例では、光源チェック操作部８のボタンが押された直後に、前記指定された波長の通信光の検出強度値を表示し、その後、光源チェック操作部８のボタンが例えば２秒といった予め定められた操作時間連続して押された時には、０ｄＢを表示する。
【００４５】
このように、本実施形態例の受信装置は、光源チェック時に、まず、前記選択指定された波長の通信光の検出強度値を表示し、その後、この通信光源強度を基準値として（つまり、この値を０として）表示するようにしている。
【００４６】
光源光強度合否の判断部２６は、光源光強度の検出値が予め定めた光源光強度閾値以上の合格値であるかを判断するものであり、閾値メモリ部２８に格納されている光源光強度閾値と、通信光強度検出部７から加えられる通信光源強度の検出値とを比較し、通信光源強度検出値が光源光強度閾値以上であるときにはＯＫ信号（合格信号）を、通信光源強度検出値が光源光強度閾値未満であるときにはＮＧ信号（不合格信号）を、それぞれ、光源光強度合否表示部３５に加える。
【００４７】
光源光強度合否表示部３５は、光源光強度合否の判断部２６の合否情報を区別表示する区別表示部として機能するものであり、光源光強度合否の判断部２６からＯＫ信号が加えられた時は“ＯＫ”を表示し、ＮＧ信号が加えられたときには“ＮＧ”を表示する。
【００４８】
図３（ａ）には、図２（ａ）の接続状態で、光源チェック操作部８のボタンが押された直後の、光源光強度値の表示とその合否情報表示の例が示されている。波長選択操作部１０によって選択指定された波長（ここでは１．３１μｍ）を示す１．３１の表示部位の点灯が行われると共に、この波長を有する通信光源の合否情報が、“ＯＫ”または“ＮＧ”の表示部位の点灯（この図ではＯＫの表示部位が点灯）によって区別表示されている。
【００４９】
また、図２（ｂ）に示すように、光源装置２と受信装置１を、実際に敷設場所に敷設される光損失被測定光ファイバ３を介して接続した状態で、前記光損失値検出操作部９のボタンが押されたときには、前記通信光強度検出部７は、波長多重光の受信部５で受信して波長分波部６で分波した通信光強度の検出により、光損失被測定光ファイバ３を通過する通過通信光強度を検出する。通信光強度検出部７は、光損失値検出操作部９のボタンが押されたときには、検出した通信光強度の値を通過通信光強度記憶部２２に加える。
【００５０】
通過通信光強度記憶部２２は、通信光強度検出部７から通信光の検出強度の信号が加えられると、この値を通過通信光強度としてその波長に対応させて記憶する。
【００５１】
また、光損失値検出操作部９のボタンが押されると、光損失値検出操作部９から通信光伝搬損失値検出部２５に、通信光伝搬損失値を求めるようにとの指令が加えられる。なお、通信光伝搬損失値検出部２５により求める通信光伝搬損失値は、波長選択操作部１０によって指定された波長について求められる。通信光伝搬損失値検出部２５は、通過通信光強度記憶部２２に記憶された光ファイバ通過通信光強度値と、前記通信光源強度記憶部２１が記憶した通信光源強度値とを比較して、予め定めた手法によって、光損失被測定光ファイバ３の通信光伝搬損失値を求める。
【００５２】
本実施形態例では、上記手法は、前記通信光源強度記憶部２１が記憶した光源光強度値から通過通信光強度記憶部２２に記憶された光ファイバ通過光強度値を差し引く手法であり、通信光伝搬損失値検出部２５は、この算出値を通信光伝搬損失値とする。この値は、前記光源光強度を０とした場合の値として、単位がｄＢの値として求められ、通信光伝搬損失値の表示部３４と、通信光損失合否の判断部２９とに加えられる。
【００５３】
通信光伝搬損失値の表示部３４は、通信光伝搬損失値検出部２５により求められる通信光伝搬損失値をｄＢで表示する。
【００５４】
なお、本実施形態例では、通信光伝搬損失値の表示と、前記通信光源強度の表示は、操作部１９の操作切り替えに応じて１つの表示部位に切り替え表示される構成としているので、光損失値検出操作部９のボタンが押されたときに通信光伝搬損失値の表示が行われる表示部位は、光源チェック操作部８のボタンが押されたときに通信光源強度の表示が行われる表示部位と同じ部位である。
【００５５】
通信光伝搬損失値の表示部３４は、通信光伝搬損失値検出部２５により求めた通信光伝搬損失値のうち、選択指定された波長に対応する通信光伝搬損失値を通信光波長の表示と共に表示する。なお、波長選択操作部１０のボタンが押されるごとに、通信光波長１．３１μｍに対応する光伝搬損失値と通信光波長１．５５μｍに対応する光伝搬損失値とが交互に表示される。
【００５６】
なお、前記の如く、前記通信光源強度の表示と、通過通信光伝搬損失値の表示は、操作部１９の操作切り替えに応じて１つの表示部位に切り替え表示される構成としているので、光損失値検出操作部９のボタンが押されたときに行われる、波長１．３１μｍまたは波長１．５５μｍの通信光波長に対応する光伝搬損失値の表示は、通信光源強度の表示部３１の表示と同一の表示部位に切り替えて行われる。
【００５７】
また、通信光損失合否の判断部２９は、通信光伝搬損失値検出部２５が求めた通信光伝搬損失値が予め定めた通信光伝搬損失閾値以下であるか否かの判断を行うものであり、閾値メモリ部２８に格納されている通信光伝搬損失閾値と、通信光伝搬損失値検出部２５が求めた通信光伝搬損失値とを比較し、この通信光伝搬損失値が通信光伝搬損失閾値以下であるときにはＯＫ信号を、前記通信光伝搬損失値が通信光伝搬損失閾値を超える値であるときにはＮＧ信号を、それぞれ、通信光損失合否表示部３７に加える。
【００５８】
通信光損失合否表示部３７は、通信光損失合否の判断部２９の合否情報を区別表示する区別表示部として機能するものであり、通信光損失合否の判断部２９からＯＫ信号が加えられた時は“ＯＫ”を表示し、ＮＧ信号が加えられたときには“ＮＧ”を表示する。
【００５９】
なお、前記の如く、光源光強度合否の判断部２６と通信光損失合否の判断部２９の合否情報は、操作部１９の操作切り替えに応じて１つの表示部位に切り替え区別表示される構成としているので、光損失値検出操作部９のボタンが押されたときに行われる、通信光損失合否の判断部２９が判断した合否情報の区別表示は、光源光強度合否情報の表示と同一表示部位に、切り替えて行われる。
【００６０】
図３（ｂ）、（ｃ）には、通信光伝搬損失値の表示とその合否表示の例が示されている。これらの表示も、光源光強度値の表示およびその合否情報表示と同じ表示部位に行われている。また、通信光伝搬損失値の表示の際も、その値と、合否情報と共に、通信光波長の値を示す部位（図３（ｂ）では１．５１、図３（ｃ）では１．３１）が点灯するようになっている。
【００６１】
本実施形態例は以上のように構成されており、図２（ａ）の状態で光源チェック操作部８のボタンを押すと、光源装置２の光源の通信光強度が検出され、その値が、波長と共に通信光源強度の表示部３１に表示される。また、この検出値が光源光強度閾値以上であるときには、光源光強度合否表示部３５に“ＯＫ”の表示が、検出値が光源光強度閾値未満であるときには、光源光強度合否表示部３５に“ＮＧ”の表示が行われる。
【００６２】
したがって、光源装置２の通信光源強度を数値として作業者等に的確に知らせることができると共に、その値が適切な値（閾値以上の合格値）であるかを即座に判断して作業者等に知らせることができるので、作業者等は、通信光源強度が適切な場合にのみ光損失被測定光ファイバ３の光損失測定作業を行い、光源光強度が不適切な場合には、光源装置２の交換を行う等の適切な対処を行うことができる。
【００６３】
そして、光源装置２から発信する通信光強度が適切な値の場合に、図２（ｂ）のように、光損失被測定光ファイバ３の入射側に光源装置２を接続し、光損失被測定光ファイバ３の出射側に受信装置１を接続して、光損失値検出操作部９のボタンを押すと、通信光伝搬損失値検出部２５により、通信光伝搬損失値が求められ、通信光波長と共に、通信光伝搬損失値の表示部３４に表示される。
【００６４】
また、このとき、通信光伝搬損失値検出部２５が求めた通信光光伝搬損失値が通信光伝搬損失閾値以下であるときには、通信光損失合否表示部３７に、“ＯＫ”の表示が、求めた通信光伝搬損失値が通信光伝搬損失閾値を超える値であるときには、通信光損失合否表示部３７に、“ＮＧ”の表示が行われる。
【００６５】
本実施形態例の通信光強度検出システムは、上記のように、目に見える可視光を通信光と共に発信し、そのうちの通信光のみを分波して通信光強度を検出するのであり、目に見えない通信光のみを用いて通信光強度を検出する場合と異なり、波長の通信光が作業者等の目に入ってしまう危険を回避でき、かつ、通信光伝搬損失値を数値として正確に、かつ、容易に求めることができる。そして、この値を作業者等に知らせることができるし、通信光損失値の合否（閾値以下の合格値か否か）を即座に判断して表示し、作業者等に知らせることができる。
【００６６】
なお、本発明は上記実施形態例に限定されることはなく、様々な態様を採り得る。例えば、上記実施形態例では、可視光波長を０．６５μｍとし、通信光波長を１．３１μｍと１．５１μｍとしたが、これらの波長は特に限定されるものではなく、例えば通信光波長を０．９８μｍとする等、適宜設定されるものである。
【００６７】
また、上記実施形態例では、光源光強度値と通信光伝搬損失値の合否情報を、“ＯＫ”と“ＮＧ”の表示部位の点灯により区別表示したが、上記合否情報の区別表示の態様は特に限定されるものでなく、適宜設定されるものである。
【００６８】
さらに、上記実施形態例では、通信光伝搬損失値の表示と、通信光源強度の表示は、操作部１９の操作切り替えに応じて１つの表示部位に切り替え表示される構成としたが、それぞれの表示を別々の表示部位に形成してもよい。また、通信光源強度の表示部３１は、省略することもできる。
【００６９】
さらに、上記実施形態例では、光源光強度合否の判断部２６と、通信光損失合否の判断部２９がそれぞれ判断した合否情報は、操作部１１の操作切り替えに応じて１つの表示部位に切り替え区別表示される構成としたが、これらの判断部２６，２９が判断した合否情報を別々の表示部位に区別表示してもよい。
【００７０】
さらに、上記実施形態例では、光源光強度合否の判断部２６と通信光損失合否の判断部２９を設け、これらの判断部２６，２９の合否情報を区別表示する区別表示部を設けたが、これらの判断部２６，２９や表示部の少なくとも一つを省略してもよい。この場合でも、受信装置１が、通信光源強度値、通信光伝搬損失値の表示を行えば、作業者等が、これらの値の合否判断のための閾値データとそれぞれの値とを比較することにより、合否判断を行うことができる。
【００７１】
さらに、上記実施形態例では、光損失被測定光ファイバ３の光伝搬損失を測定する際に、光損失被測定光ファイバ３の入射側を、光コネクタ１６を介して光源装置２に直接接続したが、光損失被測定光ファイバ３の入射側を、光源光強度測定用光ファイバ１３を介して光源装置２に接続して、光伝搬損失の測定を行ってもよい。
【００７２】
さらに、光ファイバを介さずに、光源装置２から直接的に波長多重光の受信部５に受信される波長多重光のうち、通信光を分波して、その通信光の検出強度を光源光強度として検出したり、記憶したりしてもよい。
【図面の簡単な説明】
【００７３】
【図１】本発明に係る通信光強度検出システムの一実施形態例の制御構成を示すブロック図である。
【図２】上記実施形態例のシステムを用いた光損失測定方法に適用される、可視光源装置と受信装置との接続状態例を模式的に示す説明図である。
【図３】上記実施形態例のシステムに適用される受信装置における表示例を示す説明図である。
【符号の説明】
【００７４】
１  受信装置
２  光源装置
３  光損失被測定光ファイバ
４  波長多重光の送信部
５  波長多重光の受信部
６  波長分波部
７  通信光強度検出部
８  光源チェック操作部
９  光損失値検出操作部
１０  波長選択操作部
１１  制御部
１３  光源光強度測定用光ファイバ
２１  通信光源強度記憶部
２２  通過通信光強度記憶部
２５  通信光伝搬損失値検出部
２６  光源光強度合否の判断部
２８  閾値メモリ部
２９  通信光損失合否の判断部
３１  通信光源強度の表示部
３４  通信光伝搬損失の表示部
【図１】
2005176072.tif 000003
【図２】
2005176072.tif 000004
【図３】
2005176072.tif 000005